(57)【特許請求の範囲】
【請求項１】
装置筐体からカバーの取り外しができなくなるロック状態或いはカバーの取り外しが可能になる解除状態にすることができる電子ロックと、
前記装置筐体の内部の温度を検出する温度センサーと、
装置の電源ＯＮの場合、及び装置の電源ＯＦＦで前記温度センサーから伝えられた温度状態がある一定の温度より高い場合は、前記電子ロックをロック状態にする電子ロック制御回路とを有し、
前記電子ロック、前記温度センサー及び前記電子ロック制御回路は、装置の電源ＯＦＦ時にも作動するカバーロック機構付き情報処理装置。
【請求項２】
前記電子ロック制御回路は、前記温度センサーから伝えられた温度状態がある一定の温度より低い場合、前記電子ロックを解除状態にする請求項１に記載のカバーロック機構付き情報処理装置。
【請求項３】
装置の電源ＯＦＦ時、前記電子ロック、前記温度センサー及び前記電子ロック制御回路を作動させるバッテリーを搭載する請求項１または２に記載のカバーロック機構付き情報処理装置。
【請求項４】
前記電子ロックは、設定されたパスワードを伴った操作によりロック状態或いは解除状態にすることができる請求項１から３のいずれかに記載のカバーロック機構付き情報処理装置。
【請求項５】
前記電子ロック制御回路は、
前記温度センサーから伝えられた温度状態の情報に基づき、前記パスワードを伴った操作による解除状態に関係なく、前記温度状態がある一定の温度より高い場合は前記電子ロックをロック状態にし、前記温度状態がある一定の温度より低い場合に前記電子ロックを解除状態にする請求項４に記載のカバーロック機構付き情報処理装置。
【請求項６】
前記電子ロックは、
前記装置筐体に取り付けられ、ロック状態で、前記カバーに設けられたフックブラケットの穴に入り込んで引っかかり前記カバーを取り外せなくする鉄心を有する請求項１から５のいずれかに記載のカバーロック機構付き情報処理装置。
【発明の詳細な説明】
【０００１】
【発明の属する技術分野】
本発明は、カバーロック機構付き情報処理装置に関し、特に、電源ＯＮのままでもカバーを開けることができない情報処理装置を提供することにある。
【０００２】
【従来の技術】
従来の情報処理装置は、盗難防止用のカバーロック機構等を設けてあるが、パスワード等を解除すれば、情報処理装置の電源ＯＮのままでもカバーを開けることができるため、情報処理装置の破損及びユーザが感電する恐れがあった。
【０００３】
また、近年の情報処理装置は、省スペース化が進み装置内部が高密度実装となり、ユーザがオプション増設する際のアクセスエリア周辺に、ＣＰＵ，ヒートシンク等の高温部が実装され、ユーザが装置を使用した直後にオプション等を増設しようとした場合、誤って高温部に触れてしまい、火傷や怪我をする恐れがあった。
【０００４】
【発明が解決しようとする課題】
上述したように、従来の情報処理装置では、パスワード等を解除すれば、情報処理装置の電源ＯＮのままでもカバーを開けることができ、情報処理装置の破損及びユーザが感電する恐れがあるという問題があった。
【０００５】
また、ユーザが装置を使用した直後にオプション等を増設しようとした場合、誤って高温部に触れてしまい、火傷や怪我をする恐れがあるという問題があった。
【０００６】
そこで、本発明の目的は、上記問題を解決するために、パスワードなどを解除しても電源ＯＮのままでもカバーを開けることができない情報処理装置を提供することにある。
【０００７】
また、本発明の他の目的は、内部が高温状態ではカバーを開けることが出来ないカバーロック機構付き情報処理装置を提供することにある。
【０００８】
【課題を解決するための手段】
上記目的を達成するために、本発明のカバーロック機構付き情報処理装置は、装置筐体からカバーの取り外しができなくなるロック状態或いはカバーの取り外しが可能になる解除状態にすることができる電子ロックと、前記装置筐体の内部の温度を検出する温度センサーと、装置の電源ＯＮの場合、及び装置の電源ＯＦＦで前記温度センサーから伝えられた温度状態がある一定の温度より高い場合は、前記電子ロックをロック状態にする電子ロック制御回路とを有し、前記電子ロック、前記温度センサー及び前記電子ロック制御回路は、装置の電源ＯＦＦ時にも作動する。
【０００９】
また、前記電子ロック制御回路は、前記温度センサーから伝えられた温度状態がある一定の温度よりも低くなった場合、前記電子ロックを解除状態にする。
【００１０】
さらに、装置の電源ＯＦＦ時、前記電子ロック、前記温度センサー及び前記電子ロック制御回路を作動させるバッテリーを搭載する。
【００１１】
またさらに、前記電子ロックは、設定されたパスワードを伴った操作によりロック状態或いは解除状態にすることができる。
【００１２】
また、前記電子ロック制御回路は、前記温度センサーから伝えられた温度状態の情報に基づき、前記パスワードを伴った操作による解除状態に関係なく、前記温度状態がある一定の温度より高い場合は前記電子ロックをロック状態にし、前記温度状態がある一定の温度より低い場合に前記電子ロックを解除状態にする。
【００１３】
さらに、前記電子ロックは、前記装置筐体に取り付けられ、ロック状態で、前記カバーに設けられたフックブラケットの穴に入り込んで引っかかり前記カバーを取り外せなくする鉄心を有する。
【００１６】
【発明の実施の形態】
次に、図面を参照して、本発明の実施の形態について詳細に説明する。
【００１７】
図１は、本発明のカバーロック機構付き情報処理装置の実施の形態の構成を示す斜視図である。この情報処理装置１には、盗難防止用の電子ロックを使用したカバーロック機構２を設けてあり、通常は、パスワード等によりカバーロック機構２をロック／解除することができる。また、パスワードによるカバーロック機構２のロック／解除に関係なく、情報処理装置１の電源がＯＮの場合には、カバーロック機構２をロック状態にし、カバー３を開けることを出来なくする電子ロック制御回路４が設けられている。
【００１８】
また、ユーザがオプション等を増設する際に触れる恐れがある高温部（ヒートシンク５等）には、温度センサー６を設け、ヒートシンク５等の温度状態の情報を電子ロック制御回路４に伝える。電子ロック制御回路４は、温度センサー６から得た情報から、パスワードによるロック解除、及び電源ＯＦＦによるロック解除に関係なく、装置使用直後によりヒートシンク５等が高温の場合には、カバーロック機構２をロック状態にし、カバー３を開けることを出来なくする。電源ＯＦＦ後、ヒートシンク５等の温度が低くなると、温度センサー６から電子ロック制御回路４に情報が伝えられ、カバーロック機構２を解除状態にし、カバーの取り外しが可能になる。
【００１９】
【実施例】
次に、図面を参照して、本発明の実施例について詳細に説明する。
【００２０】
図２は、本発明のカバーロック機構の実施例における解除時を示す斜視図である。このカバーロック機構は、情報処理装置１の背面のベース１０に電子ロック１１を取り付ける。この時、電子ロック１１の構成部品である鉄心１２は解除状態である。また、カバー３には、電子ロック１１をロック状態にした時に、鉄心１２に引っかかるフックブラケット１３が設けられている。フックブラケット１３には、鉄心１２を挿入する角穴１３’が設けられている。
【００２１】
図３は、本発明のカバーロック機構の実施例におけるロック状態を示す斜視図である。電子ロック１１の鉄心１２が、カバー３に設けられているフックブラケット１３の角穴１３’に入り込み、カバー３の取り外しが出来なくなるようにする。
【００２２】
図４は、本発明のカバーロック機構付き情報処理装置の実施例の全体構成を示す斜視図である。情報処理装置１の内部において、ユーザがオプション増設等によりアクセスするエリアの周辺の高温部である、ヒートシンク５には、温度センサー６が取り付けられており、ヒートシンク５の温度状態の情報を電子ロック制御回路４に伝える。電子ロック制御回路４は、温度センサー６からの情報から、ヒートシンク５の温度がある一定の温度よりも高い場合には電子ロック１１をロック状態にし、カバー３の取り外しが出来なくなるようにする。情報処理装置１の電源ＯＦＦ後、ヒートシンク５の温度がある一定の温度よりも低くなった場合には、電子ロック１１を解除状態にし、カバー３の取り外しが可能になるようにする。情報処理装置１には、電源コンセントを抜いた場合にも、電子ロック１１，温度センサー６，電子ロック制御回路４を作動させる為のバッテリー１４を搭載している。
【００２３】
次に、本発明の実施例の動作について順に説明する。
１）情報処理装置１のカバーロック機構２は、盗難防止用としてパスワードにより、ロック／ロック解除することが出来る。
２）情報処理装置１のカバーロック機構２は、電子ロック制御回路４により、情報処理装置１の電源がＯＮの時はロック状態になり、電源がＯＦＦの時はロック解除状態になる。
３）情報処理装置１のカバーロック機構２は、電子ロック制御回路４により、温度センサー６を取り付けてあるヒートシンク５が、ある一定の温度より高くなるとロック状態になり、情報処理装置１の電源ＯＦＦ等により温度センサー６取り付け部の温度が、ある一定の温度より低くなるとロック解除状態になる。
【００２４】
上記１）〜３）の動作条件より、カバー３を取り外す場合には、パスワードによるロック解除、情報処理装置１の電源ＯＦＦ、情報処理装置１の内部温度の低下が必要になる。
【００２５】
次に、本発明の他の実施例について説明する。
【００２６】
本実施例では、情報処理装置１の内部温度が高いときにカバーを開けられなくする方法として、情報処理装置１の電源をＯＦＦした後、タイマーにより一定時間が過ぎるとカバーロック機構２が解除され、カバーを開けられるようにする。
【００２７】
【発明の効果】
以上説明したように、本発明では、情報処理装置１の盗難防止用のカバーロック機構２を、パスワードに関係なく、情報処理装置１の電源ＯＮ／ＯＦＦと連動させて、カバーのロック／ロック解除をすることにより、ユーザが情報処理装置の電源ＯＮのままカバーを開けることが出来なくなり、情報処理装置１の破損及び感電防止をすることが出来るという効果を奏する。
【００２８】
また、情報処理装置１の内部の温度状態により、カバーのロック／ロック解除をすることにより、内部が高温状態ではカバー３を開けることが出来なくなり、ユーザの火傷や怪我を防止することが出来るという効果を奏する。
【図面の簡単な説明】
【図１】本発明の実施の形態の構成を示す斜視図である。
【図２】本発明の実施例におけるカバーロック機構の動作（解除時）を示す斜視図である。
【図３】本発明の実施例におけるカバーロック機構の動作（ロック時）を示す斜視図である。
【図４】本発明の実施例の全体構成を示す斜視図である。
【符号の説明】
１  情報処理装置
２  カバーロック機構
３  カバー
４  電子ロック制御回路
５  ヒートシンク
６  温度センサー
１０  ベース
１１  電子ロック
１２  鉄心
１３  フックブラケット
１３’  角穴
１４  バッテリー
【図１】
0003641392.tif 000002
【図２】
0003641392.tif 000003
【図３】
0003641392.tif 000004
【図４】
0003641392.tif 000005